(57)【要約】【課題】簡単な構造で、理想的とされる所定のフォームを再現することができるスイング練習具を提供すること。【解決手段】棒状のロッド２の一端をパターＰのヘッド側に保持した状態で、ロッド２の他端側を胸に押し当てて保持することにより、スイング中に姿勢を乱さないようにするスイングの練習に供するスイング練習具１であって、パターＰに着脱自在に取り付け可能であると共に、ロッド２の一端側を保持可能なロッド保持部材３を備え、ロッド保持部材３により、ロッド２を保持して使用することができ、ロッド保持部材３を用いずに、ロッド２の一端をパターＰのヘッドＨに直接押し当てて使用することができる。【選択図】図１
0003164869.tif 000002
【実用新案登録請求の範囲】
【請求項１】
棒状の姿勢矯正具の一端をクラブのヘッド側に保持した状態で、前記姿勢矯正具の他端側を胸に押し当てて保持することにより、スイング中に姿勢を乱さないようにするスイングの練習に供するスイング練習具であって、
前記クラブに着脱自在に取り付け可能であると共に、前記姿勢矯正具の一端側を保持可能な保持具を備え、
前記保持具により、前記姿勢矯正具を保持して使用することができ、
前記保持具を用いずに、前記姿勢矯正具の一端を前記クラブのヘッドに直接押し当てて使用することができることを特徴とするスイング練習具。
【請求項２】
前記姿勢矯正具は、長さが調節可能な長さ調節機構と、軸長方向からの力を緩衝する緩衝機構を有することを特徴とする請求項１記載のスイング練習具。
【請求項３】
棒状の姿勢矯正具の一端をクラブのヘッド側に保持した状態で、前記姿勢矯正具の他端側を胸に押し当てて保持することにより、スイング中に姿勢を乱さないようにするスイングの練習に供するスイング練習具に用いられ、
前記クラブに着脱自在に取り付け可能であると共に、前記姿勢矯正具の一端側を保持可能であることを特徴とする保持具。
【考案の詳細な説明】
【技術分野】
【０００１】
本考案は、スイングを理想的とされる所定のフォームで行えるように、使用者の姿勢を矯正するスイング練習具及びスイング練習具に用いる姿勢矯正具を保持可能な保持具に関する。
【背景技術】
【０００２】
従来より、ゴルフの上達を図るために様々な練習方法が編み出されている。練習方法としては、クラブのスイングに関するものがある。
【０００３】
クラブのスイングに関する練習方法は、所定のスイングのフォームを習得することを目的とし、例えば、スイング練習具等の器具を用いて、所定のスイングのフォームを習得させる。
【０００４】
所定のスイングのフォームを習得させるために用いるスイング練習具は、例えば、スイングにおいて、ヘッドが理想的とされる所定の軌道（理想的な軌道）を描くように構成される（特許文献１）。この特許文献１に記載されるスイング練習具は、ヘッドが理想的な軌道上を動くように保持されたクラブでスイングを行わせることで、使用者にヘッドの理想的な軌道を体感させることができ、この理想的な軌道から、理想的な軌道を描けるようなスイングのフォームを習得させるものである。
【先行技術文献】
【特許文献】
【０００５】
【特許文献１】特開平１０−８５３７５号公報
【考案の概要】
【考案が解決しようとする課題】
【０００６】
スイングのフォームにおいては、種々のフォームがあるが、理想的とされる所定のフォーム（理想的なフォーム）が存在し、この理想的なフォームでスイングすることにより、ヘッドの理想的な軌道が描かれ、結果として、理想的なショットが行えるとされる。理想的なスイングのフォームとしては、種々のポイントがあるが、インパクト時の姿勢、スイング中の体とボールとの距離、スイングの速度・軌道等が重要なポイントとされる。
【０００７】
そこで、本考案は、簡単な構造で、理想的とされる所定のフォームを再現することができるスイング練習具を提供することを目的とする。また、本考案は、クラブの形状に関係なく、使用することができるスイング練習具を提供することを目的とする。
【課題を解決するための手段】
【０００８】
（１）棒状の姿勢矯正具の一端をクラブのヘッド側に保持した状態で、前記姿勢矯正具の他端側を胸に押し当てて保持することにより、スイング中に姿勢を乱さないようにするスイングの練習に供するスイング練習具であって、前記クラブに着脱自在に取り付け可能であると共に、前記姿勢矯正具の一端側を保持可能な保持具を備え、前記保持具により、前記姿勢矯正具を保持して使用することができ、前記保持具を用いずに、前記姿勢矯正具の一端を前記クラブのヘッドに直接押し当てて使用することができることを特徴とする。
【０００９】
（１）のスイング練習具は、棒状の姿勢矯正具により使用者の姿勢を矯正するために簡単な構造で理想的とされる所定のフォームを再現することができる。また、保持具により、姿勢矯正具を保持するために、クラブの形状に関係なく、使用することができる。また、姿勢矯正具だけを用いたり、保持具により姿勢矯正具を保持して使用したりすることができるために、多様な使用形態が選択可能となる。
【００１０】
（２）前記姿勢矯正具は、長さが調節可能な長さ調節機構と、軸長方向からの力を緩衝する緩衝機構を有することを特徴とする。
【００１１】
（２）のスイング練習具は、姿勢矯正具の長さが調節可能な長さ調節機構を有しているために、使用者の体系や姿勢に合わせた姿勢矯正具を提供することができる。また、軸長方向からの力を緩衝する緩衝機構を有しているために、使用者やクラブの接触部分に対する衝撃の伝達を和らげることができ、使用者への怪我やヘッドへの損傷等を回避することができると共に、使用者の微妙な姿勢変化を許容するようにも機能させることができる。
【００１２】
（３）保持具は、棒状の姿勢矯正具の一端をクラブのヘッド側に保持した状態で、前記姿勢矯正具の他端側を胸に押し当てて保持することにより、スイング中に姿勢を乱さないようにするスイングの練習に供するスイング練習具に用いられ、前記クラブに着脱自在に取り付け可能であると共に、前記姿勢矯正具の一端側を保持可能であることを特徴とする。
【００１３】
（３）の保持具は、スイング練習具において、姿勢矯正具を保持するために、姿勢矯正具をクラブの形状に関係なく使用させることができる。
【考案の効果】
【００１４】
本考案によれば、簡単な構造で、理想的とされる所定のフォームを再現することができるスイング練習具を提供することができる。また、本考案によれば、クラブの形状に関係なく、使用することができるスイング練習具及びスイング練習具の姿勢矯正具を保持可能な保持具を提供することができる。
【図面の簡単な説明】
【００１５】
【図１】本考案のスイング練習具の使用状態を示す図である。
【図２】本考案のスイング練習具の斜視図である。
【図３】ロッドを示す図である。
【図４】ロッド保持部材を示す図である。
【図５】スイング練習具の使用例を示す模式図である。
【図６】本考案の第１の変形例を示す図である。
【図７】本考案の第２の変形例を示す図である。
【考案を実施するための形態】
【００１６】
以下、本考案の実施形態のスイング練習具１について図１を用いて説明する。図１（ａ）はスイングを正面から見た使用状態を示す図、図１（ｂ）はスイングを後方から見た使用状態を示す図である。なお、本明細書においては、パッティング方向を前方、パッティング方向とは逆の方向を後方、使用者の胸側を正面、使用者の背中側を背面とする。
【００１７】
スイング練習具１は、本実施形態においては、図１（ａ）及び図１（ｂ）パターＰ（クラブ）のスイングの練習（パッティング練習）に用いる。このスイング練習具１を用いたパターＰのスイングの練習は、実際にパターＰをスイングすることにより行う。この練習においては、パターＰのスイング時にスイング練習具１を用いて、使用者のスイングの姿勢を矯正し、理想的とされる所定のフォーム（以下、単に理想的なフォームという。）を再現する。このことにより、使用者にスイングの理想的なフォームを体感させて、最終的には、スイング練習具の不使用時に理想的なフォームによりスイングが行えるようにすることを目的として用いられる。
【００１８】
パッティングにおいては、イメージした場所にボールＢを運ぶために、練習時において距離感と方向性を養う必要があり、このためには、安定したパット（詳細には、安定したインパクト）を行う必要がある。安定したパットを行うためには、アドレスからフィニッシュまでの一連のスイング動作を通じて、アドレス時の姿勢を維持するフォームでスイングする（姿勢を乱さないでスイングする）ことが重要なポイントであるとされており、これが理想的なスイングとされる。
【００１９】
具体的には、主に、（１）両肩（両脇）を底辺にし、パターＰを握る手を頂点とする逆三角形（又は逆五角形）が形成されること、（２）インパクト時までのヘッドＨの軌道が一定でブレずに安定していること、（３）上半身とヘッドＨの動きの量が同じであること（上半身とヘッドＨの動きが同期（同調）していること）、（４）ボールＢと使用者Ｕの体の距離を一定に維持すること等が、理想的であるとされる。このポイントを再現して理想的なスイングをすることで、ボールＢの方向性も高まり、距離感も合うようになり、イメージした場所にボールＢを運ぶことができるようになる。
【００２０】
しかし、上述した重要なポイントを再現してパッティングを行うことは、難しく、近年では、このポイントを補うような通常のパターＰよりも長いパター（いわゆる、中尺パターや長尺パター）が登場してきている。このパターは、グリップが通常のパターよりも高い位置にあるという特性上、上半身全体でスイングしなければならないために、手首でスイングすることはなく、結果として、胸やみぞおち付近に固定して支点とするために、スイングのブレが生じにくいために、安定したパッティングが行えるものとして注目されている。
【００２１】
上述したような中尺パターあるいは長尺パターのように、スイングのブレを生じさせないようにスイングすることで、安定したスイングができる。
【００２２】
本スイング練習具を用いたスイング練習方法では、上述したような理想的なスイングを再現することができ、通常の長さのパターを用いて、中尺パターあるいは長尺パターのような安定したスイングを行うことができる。
【００２３】
＜スイング練習具＞
スイング練習具１の構造について、図２から図４を用いて説明する。図２（ａ）は、ロッド２（姿勢矯正具）の斜視図であり、図２（ｂ）は、ロッド保持部材３（保持具）の斜視図である。図３（ａ）は、ロッド２の長さ調節機構を示す図であり、図２（ｂ）はロッド２の緩衝機構を示す図である。図４（ａ）は、ロッド保持部材３を後方から見た図であり、図４（ｂ）は、ロッド保持部材３を上方から見た図であり、図４（ｃ）は、第１挟持プレート３１の取り付けを示す図である。
【００２４】
スイング練習具１は、図２（ａ）及び図２（ｂ）に示すように、ロッド２と、ロッド２を保持するロッド保持部材３とを備える。
【００２５】
＜ロッド＞
ロッド２は、図２（ａ）に示すように、第１ロッド部材２１と、この第１ロッド部材２１と連結する第２ロッド部材２２とを有する。本実施形態において、ロッド２は、全長Ｌが、例えば、１ｍから１ｍ２５ｃｍ程度の棒状部材である。
また、ロッド２は、ロッド２の長さを調節可能にする長さ調節機構と、ロッド２に加わった衝撃等を一時的に吸収する緩衝機構とを有する。
【００２６】
第１ロッド部材２１は、図２（ａ）に示すように、一端が第２ロッド部材２２を内包可能な開放端となる筒状に構成され、他端には使用者Ｕ側に当てる部分（使用者Ｕの胸に当てる部分）に対応して胸当て部材２４が設けられる。
また、第１ロッド部材２１は、軽量で丈夫な、アルミ材、スチール材またはカーボン材により形成される。
【００２７】
胸当て部材２４は、使用者Ｕの接触部への負担を軽減したり、位置ズレ等を抑制して使用者Ｕの接触部へのフィット感を向上させたりするために設けられ、所定の弾性力や摩擦力を有するゴム材により形成される。
【００２８】
また、第１ロッド部材２１内には、バネ２１３と、長さ調節ボルト２１２と、を有する。
バネ２１３は、緩衝機構として機能する。
長さ調節ボルト２１２は、バネ２１３に一端が固定され、第２ロッド部材２２との連結部材として機能すると共に長さ調節機構として機能する。
【００２９】
第２ロッド部材２２は、図２（ａ）及び図２（ｃ）に示すように、一端が第１ロッド部材２１に連結可能に構成され、パターＰ側に当てる部分（詳細には、ヘッドＨの上面に当てる部分）に対応してロッド２の他端側にヘッド当て部材２３と、第２ロッド部材２２の他端側の先端付近には、リング部材２５が設けられる。
また、第２ロッド部材２２は、第１ロッド部材２１と同様に、軽量で丈夫な、アルミ材、スチール材またはカーボン材により形成される。
【００３０】
また、第２ロッド部材２２の一端側には、長さ調節ボルト２１２に対応するボルト受け２１１が形成され、長さ調節ボルト２１２が螺合されることにより、第２ロッド部材２２と第１ロッド部材２１とが連結される。
【００３１】
また、第２ロッド部材２２の一端側の表面部分には、図２（ａ）に示すように、目盛りＭが形成される。この目盛りＭには、ロッド２の全長Ｌに対応する長さ等の表示がなされる。この目盛りＭは、後述する長さ調節により第２ロッド部材を回転させることにより、表示の一部が露出・非露出状態となるために、露出部分の表示を使用者Ｕが確認することで、ロッド２の長さを知らせるものである。使用者Ｕは、体系に応じた長さ等に基づいて、目盛りＭの表示からロッド２を所望の長さに調節する。なお、目盛りＭは、長さを直接的に示したスケールのようなものに限らず、長さを感覚的に把握できるような絵柄等のデザインを採用してもよく、例えば、ボールの絵柄を長さに見立てて複数並べたようなデザインを採用してもよい。
【００３２】
ヘッド当て部材２３は、ヘッドＨのロッド２への接触部への負担を軽減したり、ヘッドＨの位置ズレ等を抑制してヘッドＨへのフィット感を向上させたりするために設けられ、所定の弾性力や摩擦力を有するゴム材により形成される。
【００３３】
リング部材２５は、ロッド保持部材３への保持を可能にすると共に、シャフトＳ等へのロッド２の接触を防止するように、図２（ａ）及び図２（ｃ）に示すように、底面がロッド保持部材３の保持部分（詳細には、後述する連結ボルト３３の延設部３３２）の間隔よりも大きい円錐台形状に形成され、シャフトＳやロッド保持部材３への接触による損傷の防止やロッド保持部材３へのフィット感の向上を目的として、所定の弾性力や摩擦力を有するゴム材により形成される。
【００３４】
＜ロッドの長さ調節機構＞
ロッド２の長さ調節機構は、使用者Ｕの体系やスイングのフォーム等に合わせてロッド２の長さを調節することを可能にする機構である。使用者Ｕは、予め使用者Ｕの体系に合わせて算出された長さや、使用者Ｕの使用感等から決定された長さにロッド２を調節する。この際、使用者Ｕは、目盛りＭを頼りにロッド２の長さの調節を行う。
【００３５】
長さ調節機構は、図３（ａ）に示すように、第１ロッド部材２１にバネ２１３を介して連結される調節ボルト２１２と、調節ボルト２１２に対応する第２ロッド部材２２のボルト受け２１１とにより構成される。
【００３６】
このように構成される長さ調節機構によるロッド２の長さ調節は、第２ロッド部材２２を、第１ロッド部材２１に対して相対的に回転させて、調節ボルト２１２とボルト受け２１１との螺合関係を調節することにより行う。
【００３７】
このように、調節ボルト２１２とボルト受け２１１の螺合関係を調整することにより長さ調節を行うことで、本実施形態のロッド２においては、例えば、段階的に長さを変更するものに比べて、微調整が可能となる。このため、使用者Ｕの個人の体系や姿勢の異なる場合でも、最適な長さに調節することができる。
【００３８】
具体的には、ロッド２の全長Ｌを長くする場合には、図３（ａ）に示すように、第２ロッド部材２２を、第１ロッド部材２１に対して、Ｃ１方向に回転させる。このことにより、調節ボルト２１２が対応するボルト受け２１１内を回転しＤ１方向に移動するために、ロッド２の全長Ｌを長くすることができる。
【００３９】
一方、ロッド２の全長Ｌを短くする場合には、第２ロッド部材２２を、第１ロッド部材２１に対して、Ｃ１方向とは逆に回転させる。このことにより、調節ボルト２１２が対応するボルト受け２１１内をＤ１方向とは逆に移動するために、ロッド２の全長Ｌを短くすることができる。
【００４０】
本実施形態において、長さ調節機構は、螺合関係を調整することにより行ったが、これに限られず、ロッドの長さを調節可能であればよく、例えば、第１ロッド部材２１と第２ロッド部材２２に所定の長さで合致するようになるピン挿通孔を設けて、このピン挿通孔にピンを挿通させることにより、ロッド２の長さを調節できるような機構や、第１ロッド部材２１にボルト受けを設け、このボルト受けに螺合されるボルトの先端を第２ロッド部材２２に押し当てて、第２ロッド部材２２を移動不能に固定するような機構等の種々の機構を採用することができる。
【００４１】
＜ロッドの緩衝機構＞
緩衝機構は、スイング練習具１の使用時にロッド２に軸長方向の力が加わることにより、使用者ＵやパターＰを傷つけないように、衝撃等の力に対してロッド２の長さを縮めて、力を吸収するようにする機構である。
また、緩衝機構は、ロッド２の伸縮からくる抵抗感を利用して、スイング練習具１の使用時のフィット感を向上させるように利用することもできる。
【００４２】
このように機能する緩衝機構は、第１ロッド部材２１と、調節ボルト２１２を介して第２ロッド部材２２との間に位置するバネ２１３により構成される。
【００４３】
緩衝機構は、図３（ｂ）に示すように、例えば、軸長方向のＰ方向から第２ロッド部材２２に力が加わることにより、第２ロッド部材２２は、付勢力に抗して、バネ２１３を、図３（ａ）の状態からＰ方向に縮ませることにより、第２ロッド部材２２に加わった力を緩衝する。
【００４４】
より詳細には、緩衝機構は、ロッド２の通常状態においては、図３（ａ）に示すように、第１ロッド部材２１に設けられるバネ２１３の付勢力により、第２ロッド部材２２が所定の位置（原位置）になるように構成される。
この状態から、図３（ｂ）に示すように、ロッド２に対して、例えば、第２ロッド側から軸長方向Ｐの力が加わったときには、バネ２１３の付勢力に抗して第２ロッド部材２２が第１ロッド部材２１方向へ移動することにより、ロッド２の全長が短くなって、ロッド２へ加わった力を緩衝することができる。その後、ロッド２へ加わっている力が解除されたときには、バネ２１３の付勢力により、図３（ａ）に示すように、第２ロッド部材２２は原位置に復帰する。
このことにより、ロッド２は、ロッド２の全長Ｌが短くなり、衝撃等に対しも、使用者ＵやパターＰを傷つけることがない。
【００４５】
なお、緩衝機構は、本実施形態においては、バネ２１３により構成したがこれに限られず、ロッド２の軸長方向からの力を一時的に吸収することができればよく、例えば、ゴム等の弾性部材を第１ロッド部材２１と第２ロッド部材２２との間に配置したような機構等の種々の機構を採用することができる。
【００４６】
＜ロッド保持部材＞
ロッド保持部材３は、図１（ａ）及び図１（ｂ）に示すように、ロッド２をパターＰ（詳細には、シャフトＳ）に保持することでパターＰからの脱落を防止するように機能する。
【００４７】
このロッド保持部材３は、図２（ｂ）に示すように、第１挟持プレート３１（第１挟持部材）と、第２挟持プレート３２（第２挟持部材）と、第１挟持プレート３１と第２挟持プレート３２とを連結する連結ボルト３３、３３と、連結ボルト３３、３３に対応するナット３４、３４とを備える。
【００４８】
第１挟持プレート３１は、図４（ａ）及び図４（ｂ）に示すように、第２挟持プレート３２と共に、シャフトＳを挟持するように機能する。
この第１挟持プレート３１は、板状に形成され、シャフト挟持溝３１１（凹部）と、ボルト挿通溝３１２、３１２とを有する。
【００４９】
シャフト挟持溝３１１は、図４（ｂ）に示すように、シャフトＳの径よりもやや大きめの大きさに形成され、シャフトＳの挟持状態においてシャフトＳの接触面となる溝である。
【００５０】
スイング練習具１においては、シャフト挟持溝３１１が形成されていることにより、シャフト挟持溝３１１が形成されていないような、例えば、平面状に形成した場合に比べて、シャフトＳへの接触面積が増加するために、挟持力が高くなる上に、第１挟持プレート３１の内方にシャフトＳを位置させるために、シャフトＳの挟持プレート３１、３２の長手方向（図４（ｂ）においては、紙面上下方向）への位置ズレを効果的に抑制することができる。
【００５１】
第１挟持プレート３１は、図４（ｃ）に示すように、連結ボルト３３が通過する逆Ｕ字状のボルト挿通溝３１２と、シャフトＳの挟持状態においてシャフトＳの接触面となるシャフト挟持溝３１１とを有する。
【００５２】
ボルト挿通溝３１２は、第２挟持プレート３２に取り付けられる連結ボルト３３に対応して２箇所設けられる。ボルト挿通溝３１２は、連結ボルト３３が通過する逆Ｕ字状に形成される。
【００５３】
第１挟持プレート３１への連結ボルト３３の取り付けは、図４（ｃ）に示すように、開放端側（図中下方向）からの連結ボルト３３の挿通することができる。このため、予め連結ボルト３３にナット３４を取り付けた状態で、第１挟持プレート３１の挿通を行うことができるために、例えば、連結ボルト３３の大きさに対応した円形のボルト挿通孔を形成した場合に比べて、ナット３４の連結ボルト３３への取り付け作業性が向上し、ナット３４の紛失を防止することができる。
【００５４】
第２挟持プレート３２は、図４（ａ）及び図４（ｂ）に示すように、第１挟持プレート３１と共に、シャフトＳを挟持するように機能する。この第２挟持プレート３２は、板状に形成され、連結ボルト３３が挿通可能なボルト挿通孔３２２、３２２と、シャフトＳの挟持状態においてシャフトＳの接触面となるシャフト挟持溝３１１（凹部）とを有する。
【００５５】
シャフト挟持溝３２１は、第１挟持プレート３１と同様に、図４（ｂ）に示すように、シャフトＳの径よりもやや大きめの大きさに形成され、シャフトＳの挟持状態においてシャフトの接触面となる溝である。
【００５６】
スイング練習具１においては、シャフト挟持溝３２１が形成されていることにより、シャフト挟持溝３２１が形成されていないような、例えば、平面状に形成した場合に比べて、シャフトＳへの接触面積が増加するために、挟持力が高くなる上に、第１挟持プレート３１の内方にシャフトＳを位置させるために、シャフトＳの挟持プレートの長手方向の位置ズレ（図４（ｂ）においては、紙面上下方向）への位置ズレを効果的に抑制することができる。
【００５７】
なお、本実施形態において、シャフト挟持溝は、第１挟持プレート３１と第２挟持プレート３２にそれぞれ形成されることが好ましいが、これに限られず、少なくともどちらか一方の挟持プレートに形成すればシャフトＳへの保持力の向上に寄与する。
【００５８】
ボルト挿通孔３２２は、シャフトＳへの挟持状態において、連結ボルト３３の間にシャフトＳが位置可能な場所に形成される。本実施形態においては、連結ボルト３３と第２挟持プレート３２とは、ボルト挿通孔３２２で固着される。このため、シャフトＳへの非取り付け状態において、ロッド保持部材３は、第１挟持プレート３１と、連結ボルト３３が連結された２部材により取り扱えばよくなる。なお、連結ボルト３３と第２挟持プレート３２を固着させたが、一体として取り扱うことができれば取り付け作業性の向上や紛失の問題もなくなり好ましいが、これに限られず、製造性を考慮して、各部材が固着されている必要もない。
【００５９】
連結ボルト３３は、図２（ｂ）、図４（ａ）及び図４（ｂ）に示すように、本実施形態においては、一端側には、ナット３４を螺合可能なねじ山が形成され、第１挟持プレート３１と第２挟持プレート３２との締結部材として機能すると共に、他端側には、第２挟持プレート３２から延設された延設部３３２により、ロッド２（詳細には、リング部材２５）を保持する保持部材として機能する。
【００６０】
ナット螺合部３３１は、連結ボルト３３の一端側において、連結ボルト３３の第１挟持プレート３１の取り付け側に形成され、ナット３４に対応したねじ山が形成される。
【００６１】
延設部３３２は、連結ボルト３３の他端側において、第２挟持プレート３２に固定される部分の残余の部分により形成される。延設部３３２は、図４（ａ）及び図４（ｂ）に示すように、延設部３３２上において、ロッド２を保持する。
【００６２】
このように、スイング練習具１においては、延設部３３２、３３２上面によって、ヘッドＨ方向の移動を規制することで、ロッド２のヘッドＨ方向への位置ズレを抑制し、延設部３３２、３３２間にロッド２の先端を位置させることで、側方（スイング方向）へのロッド２の移動を規制されるため、ロッド２の側方（スイング方向）への位置ズレが抑制される。結果として、スイング練習具１においては、パターＰからのロッド２が脱落しにくくなる。
【００６３】
ナット３４は、連結ボルト３３に対応した大きさに形成される。本実施形態においては、ナット３４は、作業性等を考慮して、シャフトＳへの非取り付け状態において、予め連結ボルト３３に取り付けられている。
【００６４】
＜パターへのロッド保持部材の取り付け＞
ロッド保持部材３のシャフトＳへの取り付けは、第１挟持プレート３１が外された状態（予め連結ボルト３３にナット３４が取り付けられている状態）で、連結ボルト３３の間にシャフトＳを位置させる。そして、第２挟持プレート３２に対してシャフトＳを挟んだ反対側において、連結ボルト３３に第１挟持プレート３１のボルト挿通溝３１２を挿通させる。その後、第２挟持プレート３２の位置を、シャフトＳにおける所定の位置（シャフトＳの所定の高さ）にセットして、第１挟持プレート３１と第２挟持プレート３２との間でシャフトＳが適度に挟持される程度にナット３４を締め付けることにより行う。
【００６５】
スイング練習具１においては、連結ボルト３３に取り付けられていると共に、連結ボルト３３にナット３４が仮止めされた状態で、シャフトＳへの取り付けに供するために、部材の紛失の心配がなく、さらに、第１挟持プレート３１の取り付けだけで、連結ボルト３３への他の部材の取り付けが必要ないために、シャフトＳへの取り付け作業性を向上させることができる。
【００６６】
＜スイング練習具を用いたパターのスイング練習方法の一例＞
＜アドレス（構え）＞
まず、使用者Ｕは、パターＰにロッド保持部材３が取り付けられた状態において、パターＰを構える。次に、使用者Ｕは、使用者Ｕの体系や姿勢等に合わせて長さが調整されたロッド２を、（胸でヘッドＨ側に押し当てて）胸付近とヘッドＨとの間で挟む。
【００６７】
より詳細には、使用者Ｕは、ロッド２の一方側にある胸当て部材２４を胸付近へ、ロッド２の他方側にあるヘッド当て部材２３をヘッドＨの芯Ｃの位置上に配置して、ロッド２を、胸とパターＰのヘッドＨとの間で挟む。
【００６８】
したがって、ロッド２のヘッドＨ側は、図５（ａ）に示すように、（シャフトＳの軸線を延長線上）ヘッドＨの芯Ｃ上に位置させる。使用時においては、ロッド２の軸線の延長線がヘッドＨの芯Ｃと交わるような場所にロッド２の先端を位置させる。なお、図５（ａ）はシャフトにロッド２をロッド保持部材３により保持して、ロッド２の先端をヘッドＨ上に位置させた状態でスイングを行う場合での使用を示す図である。
【００６９】
このようにスイング練習具１を用いることで、使用者Ｕは、両肩とパターＰを握る両手とで理想的な逆三角形（又は逆五角形）が描かれるような姿勢となり、ヘッドＨと胸が平行になるように姿勢になるような理想な姿勢となることができる。なお、姿勢決定後に、ロッド２の端部の位置がずれたり、ロッド保持部材３から脱落したりした場合には、理想的な姿勢が崩れていることを意味する。
【００７０】
また、ロッド２にいては、緩衝機構が設けられているために、さらに前傾姿勢になる等のロッド２の軸長方向に力が加わった場合には、ロッド２がバネ２１３の付勢力に抗して、一時的に短くなるために、使用者Ｕに抉り込んでしまうことがなく、使用者Ｕの怪我やヘッドの損傷を回避することができる。
【００７１】
なお、スイング練習具１においては、ロッド２をシャフトＳの芯Ｃ上に位置させて使用するために、種々のシャフトＳのライ角（シャフトＳの傾き）に対応して使用することができ、使用者Ｕのスイング姿勢や体格に合わせて使用することができる。
【００７２】
＜スイング＞
スイング練習具１を用いたパターＰのスイングにおいては、スイング中にスイング練習具１の位置がアドレス時の位置（スイング練習具１を胸とヘッドＨの芯Ｃ上の位置）からずれないように、スイングを行う。このようにスイングすることで、ヘッドＨと上半身とが同時に動く（同期（同調）する）ようになり、逆三角形（又は逆五角形）を維持した状態でのスイングがおこなわれることになる。
【００７３】
この際、スイングは、振り子のように、アドレスからテイクバック、インパクト、そして、テイクフォローまでを行うことができ、いわゆる手打ちとならずに、ボディーストロークとなるような、パターＰのヘッドＨがブレない理想的なスイングを再現することができる。
【００７４】
したがって、使用者Ｕは、スイング練習具１を用いてスイングの練習を行うことにより、通常の長さのパターを用いても、いわゆる、中尺パターや長尺パターを用いたときのような、支点がブレない安定したスイングを再現することができ、さらに、逆三角形（又は逆五角形）を描くような理想的なスイングを再現することができる。その結果、使用者Ｕは、再現した理想的なスイングのフォームの感覚を養うことができる。
【００７５】
また、本実施形態におけるスイング練習具１は、ロッド２が胸とヘッドＨで挟み込みから外れた場合でも、ロッド保持部材３により、ロッド２が保持されているために、ロッド２の脱落をしにくくする。したがって、初心者等の理想的な姿勢を維持できない場合においても、多少のズレを許容することができる。このため、スイング練習具１においては、多少のズレが許容され、理想的な姿勢に近似したスイングが行えるので、使用者Ｕは、まずは、ロッド保持部材３からの脱落しないスイングを目指して練習し、次いで、胸やヘッドＨからの位置ズレを行わないスイングを目指し、最終的には、アドレス時のロッド２の位置からの位置ズレを行わないスイングを行えるように練習を積む等の段階的な練習を行うことができる。
【００７６】
また、ヘッドＨにロッド２を載せる部分がない場合等のパターＰの構造上の問題で、ロッド２をヘッドＨとの間に挟めない場合には、図５（ｂ）に示すように、ロッド２の他端（ヘッドＨ側の端部）をロッド保持部材３に保持させることにより、スイングの練習を行うことができる。なお、図５（ｂ）は、ロッド２の先端をヘッドＨに接触させずにロッド保持部材３のみでロッド２保持した場合のロッド２とヘッドＨとの位置関係を示す図である。
【００７７】
このため、スイング練習具１を用いたスイングの練習においては、ヘッドＨとの間でロッド２を挟む必要がないために、パターＰのヘッドＨの形状に影響を受けることがないので、様々なヘッド形状のパターＰにも用いて、スイングの練習を行うことができる。
【００７８】
また、スイング練習具１は、敢えてヘッドＨに接触させずに、図５（ｂ）に示すように、ヘッドＨの先端がヘッドＨの芯の直上付近に向くように、姿勢をコントロールすることで、スイング技術の向上を図ることができる。
【００７９】
また、ヘッドＨとの間にロッド２を挟まない場合にも、ロッド２の他端（ヘッドＨ側の端部）をロッド保持部材３に保持させることにより、スイングの練習を行うことは有効である。
この際には、ロッド２のヘッドＨ側の先端の軸線上に、ヘッドＨの芯Ｃが位置するような位置にくることを意識する姿勢とすることで理想的な姿勢となる。
【００８０】
スイング練習具１においては、スイングの上達の程度に応じて、敢えてヘッドＨに接触させずに、ヘッドＨの先端がヘッドＨの芯の直上付近に位置するように、姿勢をコントロールすることで、さらに、スイング技術の向上を図ることができる。
【００８１】
また、スイング練習具１においては、ロッド保持部材３を用いないで、スイングの練習を行うことができる。このようにスイング練習具１を用いた場合には、ロッド保持部材３によるロッド２の位置ズレに対する補助がなくなるために、姿勢のコントロールが難しくなるために、さらに、スイング技術を向上させることができる。
この際には、使用者Ｕは、図５（ｃ）に示すように、ヘッドＨの芯Ｃがロッド２の軸線上に位置することとなるような姿勢にすることで、理想的な姿勢とすることができる。なお、図５（ｃ）は、ロッド保持部材３を用いない場合のロッド２とヘッドＨとの位置関係を示す図である。
【００８２】
また、スイング練習具１においては、使用者Ｕのスイングの技術力に合わせて、初心者には、図５（ａ）に示すように、ロッド２の位置ズレをロッド保持部材３により補助できる状態でスイングの練習を行い、スイング技術の高い者にはロッド保持部材３によりロッド２を保持して、先端の向きのズレを意識したスイングの練習を行ない、さらにスイング技術の高い者には上級者にはロッド保持部材３を用いないで、使用者Ｕの姿勢のみでロッド２の位置ズレが生じないようにスイングの練習を行うように、スイングの技術力に応じた段階的なスイングの練習を行うことができる。
【００８３】
以上、説明したスイング練習具は、以下のような効果を奏する。
スイング練習具１においては、棒状のロッド２により使用者Ｕの姿勢を矯正するために、簡単な構造でスイング練習具を提供することができる。
【００８４】
また、スイング練習具１においては、ロッド保持部材３により、ロッド２を保持するために、パターＰの形状（詳細には、ヘッドＨの形状）に関係なく、使用することができる。
【００８５】
また、スイング練習具１においては、ロッド保持部材３をシャフトＳに挟みこんで取り付けるために、断面形状や外形形状等の様々な形状のシャフトＳにも取り付けることができる。
【００８６】
また、姿勢矯正具だけを用いたり、保持具により姿勢矯正具を保持して使用したりすることができるために、多様な使用形態が選択可能となる。
【００８７】
また、スイング練習具１においては、第１挟持プレート３１または第２挟持プレート３２には、シャフトＳの径よりも大きなシャフト挟持溝３１１、３２１が形成されているために、シャフトＳへの接触部分が単に平面形状に形成される場合に比べて、シャフトＳへの接触面積が増加するために、高い保持力を発揮することができる上に、挟持プレートの内方に位置するために、シャフトＳの横方向への位置ズレが生じにくくなる。
【００８８】
また、スイング練習具においては、ロッド２の長さが調節可能な長さ調節機構を有しているために、使用者の体系や姿勢に合わせたロッド２を提供することができる。
【００８９】
また、ロッドの軸長方向からの力を緩衝する緩衝機構を有しているために、使用者やヘッド等のパターＰの接触部分に対する衝撃の伝達を和らげることができ、ケガや傷等を回避することができると共に、使用者の微妙な姿勢変化を許容するようにも機能させることができる。
【００９０】
＜第１の変形例＞
次に、ロッド２の形状を変更した第１の変形例について説明する。本変形例は、ロッド２の先端を用途に合わせて種々交換可能に構成したものである。図５（ａ）は、ロッド２の先端を第１先端部材２８の取り付けを示す図であり、図５（ｂ）は、第１先端部材２８に代えて、第２先端部材２９を取り付けた状態を示す図である。
【００９１】
本変形例のロッド２には、先端部分において、先端部材（２８、２９）が取り付けられる。ロッド２には、図５（ａ）に示すように、先端が交換可能な先端部材（２８、２９）を取り付け可能にロッド本体２１４には、後述するボルト部２７が螺合可能なボルト孔２１５が形成される。
【００９２】
ロッド２の先端に取り付けられる第１先端部材２８は、上述した実施形態におけるヘッド当て部材２３に相当するヘッド当て部と、リング部材２５に相当するリング部とを一体に形成し、交換可能に構成したものである。なお、説明の便宜上、ヘッド当て部とリング部とは、ヘッド当て部材とリング部材と同一の符号を付す。
【００９３】
第１先端部材２８は、ヘッド当て部２３と、リング部２５と、中間部２６、ボルト部２７とを有する。本変形例においては、第１先端部材２８は、合成樹脂等により各パーツ２３、２５、２６、２７が一体に形成される。
【００９４】
ヘッド当て部２３は、ロッド２においてヘッドＨへの接触部位であり、ヘッドＨの損傷等を目的としてゴム部材により形成される。
リング部２５は、ロッド２やロッド保持部材３への接触による損傷を考慮して、ゴム部材により形成される。
【００９５】
中間部２６は、ヘッド当て部２３とリング部２５との間に位置し、ロッド本体２１４と略同一の太さに形成される。
【００９６】
ボルト部２７は、ロッド本体２１４のボルト孔２１５に螺合可能に対応する大きさに形成されるボルトであり、好ましくは、第１先端部材２８の製造性を考慮して、ゴム部材により形成してもよい。
【００９７】
なお、第１先端部材２８を構成する材料は、ゴム部材に限られず、用途、製造性、コスト等を考慮して種々の材料により構成される。
【００９８】
このように構成される第１先端部材２８は、図５（ａ）に示すように、ロッド本体２１４のボルト孔２１５にボルト部２７を螺合させることにより取り付けられる。
【００９９】
また、先端部材は、第１先端部材２８に代えて、図５（ｂ）に示すような、第２先端部材２９により構成することができる。つまり、ロッド２の用途に応じて第１先端部材２８や第２先端部材２９を使い分けることができる。
【０１００】
第２先端部材２９は、第１先端部材２８におけるリング部２５を有さない先端部材である。第２先端部材２９は、ヘッド当て部２３と、中間部２６と、ボルト部（図示せず）とを有する。
【０１０１】
第２先端部材２９は、第１先端部材２８と同様に、ロッド本体２１４のボルト孔２１５にボルト部２７を螺合させることによりロッド２の先端としてロッド２に取り付けられる。
【０１０２】
ロッド２の先端にリング部２５を有さない第２先端部材２９を用いることで、例えば、リング部２５により隠れて見えなかった部分（ヘッドＨ付近）の視界を確保することができたり、リング部２５がシャフトＳに接触してしまい理想的な姿勢を形成することができない等の問題が生じなくなったりする。
【０１０３】
なお、本変形例において、先端部材は、リング部２５を有する第１先端部材２８とリング部２５を有さない第２先端部材２９として構成しいたがこれに限られない。スイング練習具１の用途に応じて多様な形状の先端部材を用いることができ、例えば、ロッド２をヘッドＨに接触させないようにスイング練習具１を用いる場合には、単にボルト孔２１５を塞ぐような先端部材を用いてもよいし、ロッド２の長さが足りない場合には、長さを補うような長い先端部材を用いてもよい。
【０１０４】
また、本変形例において、先端部材は、ロッド本体２１４のボルト孔２１５にボルト部２７を螺合して取り付けるように構成したがこれに限られず、ロッド本体２１４に取り付け孔を形成して、先端部材を挿し込んで取り付けるように構成してもよい。
【０１０５】
＜第２の変形例＞
次に、本実施形態の第２の変形例であるロッド保持部材３について説明する。図６（ａ）は、第２の変形例におけるロッド保持部材３を示す斜視図であり、図６（ｂ）は、ロッド保持部材３をシャフトＳに取り付けた状態を示す図である。
【０１０６】
本変形例におけるロッド保持部材３は、図６（ａ）に示すように、第３挟持部材３５と、連結ボルト３３とを有する。
【０１０７】
第３挟持部材３５は、シャフトＳを挟持可能な本体部３５１と、この本体部３５１の一端に形成される延設部３３２、３３２とを有する。
【０１０８】
本体部３５１は、可撓性を有する樹脂材により形成され、断面Ｕ字形状に形成される。この本体部３１５は、シャフトＳを包み込むＵ字凹部３５２と、このＵ字凹部３５２の一方の端部を構成する第１脚部３５３と、このＵ字凹部３５２の他方の端部を構成する第２脚部３５４と、この第１脚部３５３に形成されるボルト挿通孔３５５と、第２脚部３５４に形成されるナット孔３５６とを有する。なお、本変形例において、本体部３５１は、シャフトＳの接触部分を所定の摩擦力を有するゴム部材等により構成すれば、シャフトＳへの保持力を高めることができる。
【０１０９】
ボルト挿通孔３５５は、ナット孔３５６に対応する連結ボルト３３を挿通可能であるため、ナット孔３５６よりも大径に形成される。
【０１１０】
第３挟持部材３５においては、連結ボルト３３は、螺合せずにボルト挿通孔３５５を挿通し、ナット孔３５６に螺合することにより、第２脚部３５４に取り付けられる。
【０１１１】
延設部３３２、３３２は、第２脚部３５４側に形成され、ロッド２のリング部２５を保持可能な２つの棒状体である。
【０１１２】
連結ボルト３３は、第３挟持部材３５をシャフトＳに取り付けるものであり、先端付近にねじ山となるナット螺合部３３１が形成され、基端側にはボルト頭部３３３が形成される。ナット螺合部３３１は、ナット孔３５６に螺合可能な大きさに形成される。
【０１１３】
シャフトＳへのロッド保持部材３の取り付けについては、まず、図６（ａ）に示すように、シャフトＳをＵ字凹部３５２内に位置させる。次に、連結ボルト３３をボルト挿通孔３５５に挿通させて、ナット孔３５６に螺合させる。連結ボルト３３をナット孔３５６に螺合させることで、第１脚部３５３がＤ２方向へ引き寄せられると共に、第２脚部３５４がボルト頭部３３３によりＤ３方向に押されるために、結果として、各脚部３５３、３５４でシャフトＳを締め付ける。このことにより、ロッド保持部材３は、シャフトＳに取り付けられる。
【０１１４】
なお、本変形例のロッド保持部材３は、連結ボルト３３と本体部３５１との連結に関して、連結ボルト３３をナット孔３５６に螺合するようにボルト止めにより構成したがこれに限られない。ロッド保持部材３の製造性やコストを考慮して、連結ボルト３３を貫抜状に単に本体部３５１に挿通させるようにして構成してもよい。この際、連結ボルト３３には、ねじ山が形成されている必要はない。また、連結ボルト３３と本体部３５１は、各脚部３５３、３５４が所定の締め付け力を発揮することでシャフトＳへの取り付けを可能にするように構成されることが好ましく、例えば、シャフトＳを包みこむＵ字凹部３５２をシャフトＳよりも小寸に形成して、弾性変形を利用してシャフトＳへの締め付け力を発揮させるように構成してもよい。
【０１１５】
したがって、スイング練習具１においては、ロッド保持部材３を簡単な構成で形成することができる。また、使用者Ｕは、１つの連結ボルト３３をナット孔３５６に螺合させるだけで、簡単にロッド保持部材３をシャフトＳに取り付けることができる。
【０１１６】
なお、以上説明した本実施形態のスイング練習具１は、右利き用のパターに用いる場合について説明したが、これに限られず、左利き用のパターにも用いることができる。
【０１１７】
また、本実施形態のスイング練習具１は、スイング時に、理想的なスイングでなくなったときに、脱落可能に仮保持されるように構成したが、これに限られない。例えば、パターＰから脱落しないように、保持してもよい。この際、特定の使用者Ｕの体のサイズやスイングの特徴に合わせて、パターＰに固定しても、種々の使用者Ｕの体のサイズやスイング等に柔軟に対応できるように、保持してもよい。
【０１１８】
また、本実施形態のスイング練習具１は、ロッド２において、長さ調節機構に加えて緩衝機構を備えているが、これに限られない。ロッド２は、使用として十分な場合は、製造性やコスト等を考慮して、長さ調節機構や緩衝機構を備えないで構成してもよく、例えば、単なる棒状の部材として構成してもよい。
【０１１９】
また、本実施形態のロッド２やロッド保持部材３は、軽量で丈夫な材料で形成することが好ましいとして記載したに過ぎないものであり、異なる目的（例えば、重量のある材料でロッドを重くして、フォームをさらに安定させるような練習方法に用いる等）や価格を考慮した材料を用いることを妨げるものではない。
【０１２０】
また、本実施形態のロッド２は、成人男性用を想定した長さで説明したがこれに限られず、女性用や子供用に設定された長さのロッド２として構成してもよい。
【０１２１】
本実施形態のスイング練習具１は、パターＰに用いたがこれに限られない。ヘッドＨと上半身の動きを同じにすることや、逆三角形（又は逆五角形）を維持する等を理想的なスイングとして必要となるクラブであればよく、例えば、アプローチショット時のアイアンのスイングを練習するためにアイアンに使用してもよい。
【０１２２】
また、本考案のスイング練習具１は、ゴルフのスイングの練習に用いることに限られず、打撃対象物を打撃する打撃具（本考案においては、「打撃具」は「クラブ」に含まれるものとする。）を用いるスポーツ競技のスイングの練習に用いることができ、例えば、ゲートボールやホッケー等のスイングの練習に用いることができる。
【０１２３】
以上、本考案は、上述の実施の形態に限定されるものではなく、その趣旨を逸脱しない範囲で、上述の実施の形態を種々に組み合わせ、さらには上述の実施の形態に種々に変形を加えた形態とすることができる。
【符号の説明】
【０１２４】
１        スイング練習具
２        ロッド（姿勢矯正具）
３        ロッド保持部材（保持具）
Ｈ        ヘッド
Ｓ        シャフト
Ｐ        パター（クラブ）
【図１】
0003164869.tif 000003
【図２】
0003164869.tif 000004
【図３】
0003164869.tif 000005
【図４】
0003164869.tif 000006
【図５】
0003164869.tif 000007
【図６】
0003164869.tif 000008
【図７】
0003164869.tif 000009
【手続補正書】
【提出日】平成22年10月20日(2010.10.20)
【手続補正１】
【補正対象書類名】実用新案登録請求の範囲
【補正対象項目名】全文
【補正方法】変更
【補正の内容】
【実用新案登録請求の範囲】
【請求項１】
棒状の姿勢矯正具の一端をクラブのヘッド側に保持した状態で、前記姿勢矯正具の他端側を胸に押し当てて保持することにより、スイング中に姿勢を乱さないようにするスイングの練習に供するスイング練習具であって、
前記クラブのシャフトを挟持して前記クラブのヘッド側に保持され、前記姿勢矯正具の一端側を当接させて前記姿勢矯正具の一端側を保持する一対の棒状部材を有する保持具を備え、
前記保持具により、前記姿勢矯正具を保持して使用することができ、
前記保持具を用いずに、前記姿勢矯正具の一端を前記クラブのヘッドに直接押し当てて使用することができることを特徴とするスイング練習具。
【請求項２】
前記姿勢矯正具は、
第１のパイプ材に、第２のパイプ材を差し込んで形成され、
前記第１のパイプ材に対する前記第２のパイプ材の差込量を調整して全体の長さを調整する長さ調節機構と、前記第１のパイプ材に対して前記第２のパイプ材を差込む方向の力を吸収するバネ又は弾性部材による緩衝機構を有することを特徴とする請求項１記載のスイング練習具。
【請求項３】
棒状の姿勢矯正具の一端をクラブのヘッド側に保持した状態で、前記姿勢矯正具の他端側を胸に押し当てて保持することにより、スイング中に姿勢を乱さないようにするスイングの練習に供するスイング練習具に用いられ、
前記クラブのシャフトを挟持して前記クラブのヘッド側に保持され、前記姿勢矯正具の一端側を当接させて前記姿勢矯正具の一端側を保持する一対の棒状部材を有することを特徴とする保持具。